(57)【要約】【課題】腕を下げたときの生地のだぶつきをなくすとともに、腕を上げたときの引きつれ現象及び身頃の裾のずれ上がりを緩和することができる袖付き衣類を提供すること。【解決手段】両側脇部にアームホール３が形成された身頃生地１と、この身頃生地１の両側のアームホール３に根本側を接合された袖生地２とを有しており、前記アームホール３の上端の形成位置３ａが基準のアームホール４の上端の形成位置４ａと同等位置に形成されているが、前記アームホール３の下端の形成位置３ｂが、基準のアームホール４の下端の形成位置４ｂよりも上側に上げて形成されていると共に、前記アームホール３の周長が基準のアームホール４の周長と等しくなるように前記下端を上側に上げて形成された前記アームホール３の輪郭形状又は曲率を、基準のアームホール４の輪郭形状又は曲率から変化させて形成されている。【選択図】図１
2011179148.tif 000002
【特許請求の範囲】
【請求項１】
両側脇部にアームホールが形成された身頃生地と、この身頃生地の両側のアームホールに根本側を接合された袖生地とを有しており、前記アームホールの上端の形成位置が基準のアームホールの上端の形成位置と同等位置に形成されているが、前記アームホールの下端の形成位置が、基準のアームホールの下端の形成位置よりも上側に上げて形成されていると共に、前記アームホールの周長が基準のアームホールの周長と等しくなるように前記下端を上側に上げて形成された前記アームホールの輪郭形状又は曲率を、基準のアームホールの輪郭形状又は曲率から変化させて形成されていることを特徴とする袖付き衣類。
【請求項２】
前記身頃生地の両側のアームホールに根本側を接合された袖生地は、袖山の高さが、基準の袖山の高さより低く形成されていると共に、この低く形成された袖山を含む袖山曲線の長さが、基準の袖山曲線の長さと等しくなるように前記低く形成された袖山を含む袖山曲線の輪郭形状又は曲率を、基準の袖山曲線の輪郭形状又は曲率から変化させて形成されていることを特徴とする請求項１に記載の袖付き衣類。
【請求項３】
前記身頃生地の両側のアームホールの前身頃側の輪郭形状の曲率又は長さを後身頃側の輪郭形状の曲率又は長さよりも大きく形成していることを特徴とする請求項１又は２に記載の袖付き衣類。
【請求項４】
前記身頃生地は、円筒生地から裁断されており、その際、前後の身頃生地を両側脇部中心線を円筒生地の中心線に合わせて裁断されており、前記アームホールが前後の身頃生地の両側脇部中心線上に上端が開いた縦長楕円形状の孔として裁断形成されており、該アームホールの上端側に肩部が前後の身頃側に分割して裁断形成され、このうちの前身頃側の肩部から前側ネックホールが裁断形成されていると共に、後身頃側の肩部から後側ネックホールが裁断形成されていることを特徴とする請求項１〜３の何れかに記載の袖付き衣類。
【発明の詳細な説明】
【技術分野】
【０００１】
本発明は、袖付き衣類の改良に関するものである。
【背景技術】
【０００２】
一般に、袖付き衣類を着用した状態で腕を上げると衣類の脇下部に引きつれ現象が生じる傾向がある。
この引きつれ現象を緩和する方法として、従来、身頃生地の脇幅を広くして脇ぐり（アームホール）の周囲長を大きくし、これに対応して、袖生地の袖幅を広くして取付部の周囲長を大きくしたものが提案されている（特許文献１参照）。
【０００３】
また、従来、別の方法として、袖生地の袖下長さを長くしたものが提案されている（特許文献２参照）。
【先行技術文献】
【特許文献】
【０００４】
【特許文献１】特開平９−９５８０９号公報
【特許文献２】特開２００６−２８３２１４号公報
【発明の概要】
【発明が解決しようとする課題】
【０００５】
しかしながら、特許文献１のものは、脇幅の増加分だけ身頃の胴回りが大きくなって脇下部に身頃生地のだぶつきが発生する欠点があり、袖幅についても同様にだぶつく欠点があった。
また、特許文献２のものは、腕を下げた時、袖生地の袖下長さを長くした分だけ脇下部に生地のだぶつきが発生する欠点があった。
【０００６】
本発明は、従来技術の上記欠点を克服し、腕を下げたときの生地のだぶつきをなくすとともに、腕を上げたときの引きつれ現象を緩和し、身頃の裾のずれ上がりを防止することができる袖付き衣類を提供することを目的としている。
【課題を解決するための手段】
【０００７】
前記目的を達成するために本発明は、両側脇部にアームホールが形成された身頃生地と、この身頃生地の両側のアームホールに根本側を接合された袖生地とを有しており、前記アームホールの上端の形成位置が基準のアームホールの上端の形成位置と同等位置に形成されているが、前記アームホールの下端の形成位置が、基準のアームホールの下端の形成位置よりも上側に上げて形成されていると共に、前記アームホールの周長が基準のアームホールの周長と等しくなるように前記下端を上側に上げて形成された前記アームホールの輪郭形状又は曲率を、基準のアームホールの輪郭形状又は曲率から変化させて形成されていることを特徴としている。
【０００８】
この構成によれば、アームホールの下端の形成位置を基準のアームホールの下端の形成位置よりも上側に上げたことによって、衣類着用状態で腕を上げる時及び上げた時の脇下部における引きつれ現象と身頃の裾のずれ上がりが緩和され、腕を上げやすくなるという機能を達成することができる。しかも、アームホールの周長を基準のアームホールの周長と等しくなるようにアームホールの輪郭形状又は曲率を、基準のアームホールの輪郭形状又は曲率から変化させて形成させていることによって、生地の使用量を増やすことなく上記した機能を達成することができるため、腕を下げた時の生地のだぶつきをなくすことができ、脇下部に違和感を与えることもないため、着心地を向上させることができる。
【０００９】
また、前記身頃生地の両側のアームホールに根本側を接合された袖生地は、袖山の高さが、基準の袖山の高さより低く形成されていると共に、この低く形成された袖山を含む袖山曲線の長さが、基準の袖山曲線の長さと等しくなるように前記低く形成された袖山を含む袖山曲線の輪郭形状又は曲率を、基準の袖山曲線の輪郭形状又は曲率から変化させて形成されていることが好ましい。
【００１０】
この構成によれば、袖生地の袖山の高さを低くしたことによって、身頃生地に対する袖生地の取付角度を上向きに増加させることができ、衣類着用状態で腕を上げる時及び上げた時の脇下部における引きつれ現象が緩和され、腕を上げやすくなるという機能を達成することができる。しかも、袖山曲線の長さが、基準の袖山曲線の長さと等しくなるように前記低く形成された袖山を含む袖山曲線の輪郭形状又は曲率を、基準の袖山曲線の輪郭形状又は曲率から変化させて形成してあることによって、身頃生地のアームホールへの袖生地の根本側の接合時、たるみやしわよりのない状態で接合することができ、これによって、身頃生地と袖生地とを美麗に接合することができる。
【００１１】
さらに、前記身頃生地の両側のアームホールの前身頃側の輪郭形状の曲率又は長さを後身頃側の輪郭形状の曲率又は長さよりも大きく形成していることが好ましい。
この構成によれば、身頃生地に対する袖生地の取付角度を前側に出す向きに傾けて取り付けることができ、これによって、衣類着用状態で腕を前側で上下・左右や斜めに動かす動作をし易くできる。
【００１２】
また、前記身頃生地は、円筒生地から裁断されており、その際、前後の身頃生地を両側脇部中心線を円筒生地の中心線に合わせて裁断されており、前記アームホールが前後の身頃生地の両側脇部中心線上に上端が開いた縦長楕円形状の孔として裁断形成されており、該アームホールの上端側に肩部が前後の身頃側に分割して裁断形成され、このうちの前身頃側の肩部から前側ネックホールが裁断形成されていると共に、後身頃側の肩部から後側ネックホールが裁断形成されていてもよい。
【００１３】
この構成によれば、前記した機能を備えた衣類の身頃部分を、前後の身頃生地のアームホールの上端側の肩部を互いに接合するだけで製作することができる。
【発明の効果】
【００１４】
本発明によれば、腕を下げたときの生地のだぶつきをなくすとともに、腕を上げたときの引きつれ現象及び身頃の裾のずれ上がりを緩和することができる袖付き衣類を提供することができる。
【図面の簡単な説明】
【００１５】
【図１】本発明に係る袖付き衣類の前後の身頃生地の側部展開平面図である。
【図２】本発明に係る袖付き衣類の袖生地の側部展開平面図である。
【図３】円筒生地から身頃生地を裁断形成する場合の説明図である。
【図４】（Ａ）（Ｂ）は袖付き衣類における基準のアームホールと本発明に係るアームホールとの下端形成位置と輪郭形状のイメージ比較図である。
【図５】（Ａ）（Ｂ）は袖付き衣類の身頃生地に対する袖生地の取付状態における基準の取付角度と本発明に係る取付角度とのイメージ比較図である。
【発明を実施するための形態】
【００１６】
以下、本発明に係る袖付き衣類の実施形態を図面を参照して説明する。
本発明に係る袖付き衣類は、図１に示す身頃生地１と図２に示す袖生地２とで構成されるものである。
身頃生地１は、図１に示すように、前身頃生地１ａと後身頃生地１ｂとを有し、これらの両側脇部中心線Ｃ１上にアームホール３が形成されている。
【００１７】
本発明におけるアームホール（実線）３は、上端の形成位置３ａが、図１、図４に示すように、基準のアームホール（鎖線）４の上端の形成位置４ａと同等位置に形成されているが、下端の形成位置３ｂが基準のアームホール４の下端の形成位置４ｂよりも上側に上げて形成されている。
この上側に上げる寸法ｈ１は、実寸にして、例えば、１〜２ｃｍ程度とされ、１ｃｍ以下では、本発明の所期の目的を達成するのに不十分であり、２ｃｍ以上では、衣類着用時における人体脇下部への食い込み違和感を発生させる不具合がある。なお、この寸法ｈ１は、基準のアームホール４の周長及び形成位置が人体フィット型の袖付き衣類の標準的な規格サイズに対するものであり、基準のアームホール４の縦方向寸法に対して１０〜２０％程度に設定しておくのが好ましい。
【００１８】
このように、アームホール３の上端の形成位置３ａを基準のアームホール４の上端の形成位置４ａと同等位置とし、下端の形成位置３ｂを基準のアームホール４の下端の形成位置４ｂよりも単に上側に上げると、理論上、アームホール３の周長が基準のアームホール４の周長よりも短くなる。
そこで、本発明におけるアームホール３は、その周長を基準のアームホール４の周長と等しくなるように形成するものである。
【００１９】
そのための具体例として、本発明のアームホール３は、基準のアームホール４に対して、輪郭形状を部分的又は全体的に変化させるか、又は、曲率を部分的又は全体的に変化させることによって、理論上、短くなる分を、同等の周長となるように補正させているものである。具体的には、図４（Ａ）に示すように、基準のアームホール４の輪郭形状が縦方向に細長い楕円形のイメージであるのに対して、本発明のアームホール３の輪郭形状は、図４（Ｂ）に示すように、縦方向長さが短くなり、その分、横方向に太くなった縦長楕円形のイメージとなっている。
【００２０】
即ち、本発明に係る袖付き衣類は、両側脇部にアームホール３が形成された身頃生地１と、この身頃生地１の両側のアームホール３に根本側を縫着、接着、融着等で接合された袖生地２とを有しており、前記アームホール３の上端の形成位置３ａが基準のアームホール４の上端の形成位置４ａと同等位置に形成されているが、前記アームホール３の下端の形成位置３ｂが、基準のアームホール４の下端の形成位置４ｂよりも上側に上げて形成されていると共に、前記アームホール３の周長が基準のアームホール４の周長と等しくなるように前記下端を上側に上げて形成された前記アームホール３の輪郭形状又は曲率を、基準のアームホール４の輪郭形状又は曲率から変化させて形成されているものである。
【００２１】
なお、前記基準のアームホール４とは、人体フィット型の袖付き衣類の身頃生地の定型（生地の裁断や設計等のために形成された基準の型紙や原型）に形成されているアームホールを意味するものであって、その周長並びに上端の形成位置４ａ及び下端の形成位置４ｂについても、上記定型上で設定されているものを意味するものである。この定型は、衣類の身頃生地の規格サイズ（例えば、Ｓ、Ｍ、Ｌ等のサイズ）毎にアームホール４の周長、形成位置が設定されており、本発明においても、これらの規格サイズに対応させるものであることは勿論である。
【００２２】
また、前記身頃生地１の両側のアームホール３に根本側を接合される袖生地２は、図２に示すように、袖山５の高さが、基準の袖山６の高さより所定寸法ｈ２だけ低く形成されている。
この場合、袖山曲線（実線）５ａの長さは、理論上、袖山５の高さを低くした所定寸法ｈ２に相当する分だけ基準の袖山曲線（鎖線）６ａの長さよりも短くなってしまう。
【００２３】
そこで、本発明は、低く形成された袖山５を含む袖山曲線５ａの長さを、基準の袖山曲線６ａの長さと等しくなるように形成するものである。
そのための具体例として、本発明は、前記低く形成された袖山５を含む袖山曲線５ａの輪郭形状又は曲率を、基準の袖山曲線６ａの輪郭形状又は曲率に対して部分的又は全体的に変化させて同等の長さになるよう補正させているものである。
【００２４】
このように、袖生地２の袖山５を基準の袖山６よりも低く形成しておくと、この袖生地２の根本側を身頃生地１のアームホール３に接合した際、図５（Ａ）（Ｂ）に示すように、身頃生地１に対する袖生地２の取付角度α２を基準の袖山６の取付角度α１に比べて上向きに増加させることができる。
なお、袖生地２を身頃生地１のアームホール３に接合するに当たっては、図２に示す展開形状の袖生地２の同図左右両側の端部２ａ、２ｂを互いに重ねて接合して筒状とし、該端部２ａ、２ｂの接合部分を袖下として身頃生地１のアームホール３に接合するものである。前記袖山曲線５ａは、展開状態の袖生地２の縦方向中心線Ｃ２の両側で対称な形状に形成した場合を例示しており、この縦方向中心線Ｃ２を図１の両側脇部中心線Ｃ１に合わせて接合されるものである。
【００２５】
また、袖山５を低くする所定寸法ｈ２は、大きくするほど、腕を上げ易くできるが、その反面、腕を下げた時に肩部に生じる引きつれ現象が大きくなり、また逆に、小さくするほど、腕を下げた時に肩部に生じる引きつれ現象を少なくできるが、その反面、腕を上げた時に脇下部に生じる引きつれ現象が大きくなって腕を上げ難くなるので、これらを考慮して適宜の寸法に設定するのが好ましく、例えば、前記した定型の衣類の場合では、実寸で約１〜２ｃｍ程度とされ、基準の袖山曲線６ａの袖山６の高さに対して、１０〜２０％程度に設定するのが好ましい。
【００２６】
また、本発明は、図１に示すように、前記身頃生地１の両側のアームホール３の前身頃側の輪郭形状３ｃの曲率又は長さを後身頃側の輪郭形状３ｄの曲率又は長さよりも大きく形成してもよい。この場合では、袖生地２を接合すると、袖生地２を身頃生地１の両側脇部中心線Ｃ１に対して前側へ傾けて取り付けることができる。
前記身頃生地１は、図３に示すように、円筒生地７から裁断されるのが好ましい。その際、前後の身頃生地１ａ、１ｂは、両側脇部中心線Ｃ１を円筒生地の中心線Ｃ３に合わせて裁断され、前記アームホール３が前後の身頃生地１ａ、１ｂの両側脇部中心線Ｃ上に上端が開いた縦長楕円形状の孔として裁断形成され、該アームホール３の上端側に肩部８ａ、８ｂが前後の身頃側に分割して裁断形成され、このうちの前身頃側の肩部８ａから前側ネックホール９ａが裁断形成されていると共に、後身頃側の肩部８ｂから後側ネックホール９ｂが裁断形成されている。このように裁断形成すれば、身頃生地１の製作が容易となる。
【００２７】
本発明に係る袖付き衣類の実施形態は、以上からなるものであるが、本発明は、上記実施形態にのみ制約されるものではなく、適宜、変更して実施することができ、例えば、円筒生地以外のシート状生地から衣類の各パート部分を個別に裁断形成するものに適用することができる。
【産業上の利用可能性】
【００２８】
本発明は、インナーシャツ類、パジャマ類、セーター類、その他、各種上着類等の袖付き衣類全般に利用可能である。
【符号の説明】
【００２９】
１    身頃生地
２    袖生地
３    本発明のアームホール
４    基準のアームホール
５    本発明の袖山
６    基準の袖山
７    円筒生地
８ａ、８ｂ    肩部
９ａ、９ｂ    ネックホール
【図１】
2011179148.tif 000003
【図２】
2011179148.tif 000004
【図３】
2011179148.tif 000005
【図４】
2011179148.tif 000006
【図５】
2011179148.tif 000007